(57)【要約】      （修正有）【課題】簡単に着付けを行うことができ、窮屈な思いをさせることなく、着崩れを起こし難く動き易いファッション性に優れた着物用の作り帯付き簡易帯を提供する。【課題】予め所定の形状に帯結び１１が形成されている作り帯１０を帯本体２０に装着するだけで着付けに利用することができる作り帯付き簡易帯であって、作り帯には、帯本体から挿脱するために差し込み部１２が形成され、帯本体には、着用者の胴部に巻いて一部分を重ね合わせ、この巻いた位置が保持されるように重ね合わせの部分を胴部の周囲に沿って固定した状態で位置のずれを防止する係止手段と、差し込み部を抜き差し可能なように収容固定する差し込みポケット２２が設けられている。帯本体を胴部に巻いた状態のまま、所望の帯結びが形成されている作り帯に自在に差し替えることができる。【選択図】図１
0003187712.tif 000002
【実用新案登録請求の範囲】
【請求項１】
予め所定の形状に帯結びが形成されている作り帯を帯本体に装着するだけで着付けに利用することができる作り帯付き簡易帯であって、
前記作り帯には、前記帯本体から抜き差しするための差し込み部が形成され、
前記帯本体には、着用者の胴部に巻いて一部分を重ね合わせてこの巻いた位置が保持されるように当該重ね合わせの部分を前記胴部の周囲に沿って固定した状態で位置のずれを防止する係止手段と、前記差し込み部を抜き差し可能なように収容固定する差し込みポケットが設けられ、
前記帯本体を前記着用者の胴部に巻いた状態のまま、前記着用者が前記帯本体から所望の帯結びが形成されている作り帯を自在に差し替えることができることを特徴とする作り帯付き簡易帯。
【請求項２】
前記帯本体の着用者の前記胴部前方に対応する位置には、所定の硬さを有する略矩形状の帯板が一体的に取り付けられていることを特徴とする請求項１に記載の作り帯付き簡易帯。
【請求項３】
前記差し込み部は前記差し込みポケットからの抜き差し可能とするための係合突起からなることを特徴とする請求項１に記載の作り帯付き簡易帯。
【請求項４】
前記帯本体は前記差し込み部を挿入したときに当該差し込み部を変形させて抜けないようにする差し込みポケットを備え、前記係合突起は２本の棒状体からなり、
当該各々の係合突起は変形可能な弾性体により形成され、前記帯結びの中央位置から離れるにしたがって互いの間隔が広がるようにハの字状に取り付けられ、
前記差し込みポケットは、前記差し込み部を挿し込んだ際に当該差し込み部に対応する部分がこの差し込み部よりハの字状の広がり度合が小さくなるように形成されており、
前記２個の係合突起の間隔を狭め前記ハの字状の広がり度合を小さくすることにより、前記差し込みポケットに前記各々の係合突起を装着することを特徴とする請求項３に記載の作り帯付き簡易帯。
【請求項５】
前記作り帯は、前記帯本体に装着した前記作り帯がずれないようにするための補助紐をさらに備え、前記補助紐の中央位置には前記作り帯が一体的に取り付けられており、前記帯本体の前記差し込みポケットに前記作り帯の前記差し込み部を装着した後に、前記着用者の胸回りに沿って前記補助紐を巻いて前記着用者に取り付けることで、前記作り帯を前記帯本体に更にしっかりと固定することを特徴とする請求項１乃至請求項４のいずれか１項に記載の作り帯付き簡易帯。
【請求項６】
前記帯本体に形成されている前記係止手段は着脱可能な前記帯本体同士の付着手段からなり、当該付着手段は少なくとも前記重ね合わせの部分の領域に亘り形成されており、胴回りに合わせて貼着位置を調整して前記帯本体を前記胴部に装着可能となっていることを特徴とする請求項１乃至請求項５のいずれか１項に記載の作り帯付き簡易帯。
【請求項７】
前記帯本体は、長手方向の一定領域において幅方向の全体に亘り、変形可能な弾性力を有する素材で形成されていることを特徴とする請求項１乃至請求項６のいずれか１項に記載の作り帯付き簡易帯。
【請求項８】
前記作り帯の帯結びには、少なくとも、各種の花柄を模して帯結びが形成されている形態、各種の水中の生物を模して帯結びが形成されている形態、各種の動物を模して帯結びが形成されている形態のいずれか１つによって形成されていることを特徴とする請求項１乃至請求項７のいずれか１項に記載の作り帯付き簡易帯。
【考案の詳細な説明】
【技術分野】
【０００１】
本考案は着物や浴衣に誰でも簡単に着用できる作り帯付き簡易帯に関し、従来に比べて特に簡単に着付けを行うことができるとともに、着用時に窮屈な思いをさせることなくかつ着崩れを起こし難く動き易い作り帯付き簡易帯に関する。
【背景技術】
【０００２】
日本の着物は世界が認める美しい日本独自のいわゆる民族衣装であり日本が誇る伝統文化の一つとして尊重されるべきである。しかしながら、着物は高価であるとともに着付けが難しくなかなか一人で簡単に着用することはできない。これに加えて上述のように、着物の着付けの仕方は複雑であるため、一旦着付けを覚えてもしばらく経つと着付けの仕方を忘れてしまう場合も多い。
【０００３】
また、現在においては、成人式や七五三、冠婚葬祭など特別な行事がある場合にのみ着物を着用することが一般的であるが、これらの行事がある場合であっても着物を着用しない者も多い。加えて、このような行事に着用する着物の帯結びの形態は決まったものとなっており、帯結びの選択のバリエーションに乏しいため、ファッションや流行に敏感な現在人にとって日本固有の伝統文化の一翼を担う着物の美しさや素晴らしさが認識されにくくなっている。このような事情から現在においては、ほとんどの者が着物よりも洋服の方を着用する傾向にあり、成人式や七五三、冠婚葬祭など特別な行事があるときであっても着物を着用する者が減少している傾向にある。
【０００４】
そのため、ファッション性の観点からもっと着物に興味を持ってもらえるように様々な着物が提案されている（例えば特許文献１参照）。
【０００５】
この特許文献１に示す着物は、体の前側で帯の手先、垂れを用いて第１の帯結びを行い羽根状の飾りが形作られ、その後、手先を、右手側を通して体の後方に回して、後側で第２の帯結びを行い花の付け飾りを付けた状態が形作られるように構成されている。このように構成することによって、一本の帯で体の前後に飾りがある華やかな帯結びを実現することを可能としている。
【先行技術文献】
【特許文献】
【０００６】
【特許文献１】特開２００８−０４５２３０号公報
【考案の概要】
【考案が解決しようとする課題】
【０００７】
しかしながら、特許文献１に開示された帯結び方法で着物の着付けを行った場合、デザインの選択性に自由度を持たせることはできるものの、花の付け飾りを形作るのに手間がかかるため、着付けを簡単に行うことができないという課題が残る。また、上述したように、現在、着物よりも洋服の方が普段着として定着しているのは、この着付けが難しく、また着付けの技量を修得するのに多くの費用や時間がかかってしまうため、洋服の方が着物に比べて便利であることが挙げられる。
【０００８】
以上のような事情により、近年では着物の上に締める帯を人手を煩わすことなく簡単に締めることができる作り帯が販売されている。このような作り帯は、その中央部分に硬めの芯材で形成されている差し込み部が設けられており、この差し込み部を帯と胴体の間に差し込むことによって、初心者であっても簡単に着物の着付けを行うことができるように構成されている。
【０００９】
しかしながら、図５に示すように従来は帯本体５０の幅方向上方部分に設けられている紐５１があるが、上部にしか紐がないため、作り帯を挿し込むことで帯本体５０の巻き付け部が開き易く、見栄えが悪いものになっていたため、帯締めでしっかり抑える技術を要するようになっていた。
【００１０】
また、紐５１をきつく締め過ぎると、着用者の胴部が更に締め付けられることになり、子どもや高齢者の体への負担が大きくなるとともに不快感を与えるようになるばかりでなく、帯本体５０にも無理な力がかかることになるため、作り帯の重量や形態によっては帯本体５０に皺が生じてしまうこともあった。
【００１１】
このようなことを防止するため、着用者自ら帯本体５０を緩めてしまい、帯本体５０が落ちて着用者の胸の部分がはだけ気味になって再度着付けを行わなければならないこともあった。
【００１２】
また、逆に紐５１の締め付けを緩くすると帯本体５０から作り帯を固定しにくい問題もあった。また、差し込み部が直接背中に食い込み、着ている者に不快感を与える虞もあった。
【００１３】
さらに、このような作り帯の帯結びの形態は、蝶結びなどの固定の形態に限られていたため、ファッション性の観点からデザイン選択の楽しみがなく、現在人にとって着物が魅力を感じるものでは無くなってきていることが懸念されている。
【００１４】
これに加えて、以下の更なる問題が挙げられる。近年我が国では、着物は日本が誇るべき伝統文化の１つとして見直されてきており、現在においては中学校の教科書に和装教育として取り上げられている。しかしながら、着物の着付けに関して知識や技量を有する教師がほとんどいないため、教師に着物の着付け、特に技量を必要とする帯結びの仕方や帯の締め方の教育から始める必要があるが、着物の着付けは、帯結びに時間がかかり上手く結べなかったり、例え帯を結べたとしてもきつく締め過ぎてしまい腹部が圧迫され苦しさを感じたりする場合が多く、着物の着付けを短期間に修得し、生徒に分かりやすく教えるのは困難である。以上の理由から、このままでは、中学校の教科書に取り上げられ注目を集め始めている和装教育の芽を摘んでしまうことにもなり兼ねない。
【００１５】
そのため、日本が誇るいわゆる日本独自の民族衣装としての着物文化を絶やすことなく、世界により広めるためにも、簡易な方法で費用や時間をかけることなく着物の着付けを行うことができる着物用の作り帯付き簡易帯が要望されている。
【００１６】
本考案の目的は、簡単に着付けを行うことができ、窮屈な思いをさせることなくかつ着崩れを起こし難く動き易いファッション性に優れた着物用の作り帯付き簡易帯を提供することにある。
【課題を解決するための手段】
【００１７】
上述した課題を解決するために、本考案の請求項１に記載の作り帯付き簡易帯は、予め所定の形状に帯結びが形成されている作り帯を帯本体に装着するだけで着付けに利用することができる作り帯付き簡易帯であって、
前記作り帯には、前記帯本体から抜き差しするための差し込み部が形成され、
前記帯本体には、着用者の胴部に巻いて一部分を重ね合わせてこの巻いた位置が保持されるように当該重ね合わせの部分を前記胴部の周囲に沿って固定した状態で位置のずれを防止する係止手段と、前記差し込み部を抜き差し可能なように収容固定する差し込みポケットが設けられ、
前記帯本体を前記着用者の胴部に巻いた状態のまま、前記着用者が前記帯本体から所望の帯結びが形成されている作り帯を自在に差し替えることができることを特徴としている。
【００１８】
請求項１に係る作り帯付き簡易帯によると、予め所定の形状に帯結びが形成されている作り帯を帯本体に簡単に装着できるようになっていることで、難しい帯結びをする必要がなくなるので、従来の着付けに比べて格段に短時間で簡単に着物の着付けを行うことができることができるようになる。
【００１９】
また、予め、作り帯を帯本体に装着しておけば、人手を煩わすことなく簡単に一人で着物の着付けを行うことができるようになる。
【００２０】
さらに、その日の気分や好みに応じて作り帯を帯本体から抜き差しするだけで、作り帯の見た目の印象を簡単に変えることができる。これに応じて、着物や浴衣などの全体的なデザインを簡単に変化させることができ、いわゆる日本固有の民族衣装である着物や浴衣の素晴らしさを日本だけでなくより世界中の人々に広く認識してもらえるようになる。
【００２１】
また、本考案の請求項２に記載の作り帯付き簡易帯は、請求項１に記載の作り帯付き簡易帯において、前記帯本体の着用者の前記胴部前方に対応する位置には、所定の硬さを有する略矩形状の帯板が一体的に取り付けられていることを特徴としている。
【００２２】
従来の帯板は帯本体と別体で構成されていたが、請求項２に係る作り帯付き簡易帯がこのような構成を有することで、帯板が着用者の胴部前方からずれることがなくなるため、帯板を抑えながら着付けを行うことが不要となり、着物の着付けを短時間で行うことができるようになる。
【００２３】
また、帯板がずれることで着用者の腹部に帯板がちょうど合致しなくなって着用者に不快感を与えるようなこともなく、帯本体に皺が寄ってしまうこともない。
【００２４】
また、本考案の請求項３に記載の作り帯付き簡易帯は、請求項１に記載の作り帯付き簡易帯において、前記差し込み部は前記差し込みポケットからの抜き差し可能とするための係合突起からなることを特徴としている。
【００２５】
請求項３に係る作り帯付き簡易帯がこのような構成を有することで、差し込みポケットに係合突起を係合させるという簡単な方法で作り帯を帯本体に抜き差しすることが可能となり、好みの作り帯を帯本体に簡単かつ自在に差し替えることができるようになる。
【００２６】
また、本考案の請求項４に記載の作り帯付き簡易帯は、請求項３に記載の作り帯付き簡易帯において、前記帯本体は前記差し込み部を挿入したときに当該差し込み部を変形させて抜けないようにする差し込みポケットを備え、前記係合突起は２本の棒状体からなり、
当該各々の係合突起は変形可能な弾性体により形成され、前記帯結びの中央位置から離れるにしたがって互いの間隔が広がるようにハの字状に取り付けられ、
前記差し込みポケットは、前記差し込み部を挿し込んだ際に当該差し込み部に対応する部分がこの差し込み部よりハの字状の広がり度合が小さくなるように形成されており、
前記２個の係合突起の間隔を狭め前記ハの字状の広がり度合を小さくすることにより、前記差し込みポケットに前記各々の係合突起を装着することを特徴としている。
【００２７】
請求項４に係る作り帯付き簡易帯がこのような構成を有することで、差し込みポケット内で各々の係合突起がその内周面に押し付けられるようになるので、従来のように帯本体から作り帯が簡単にずれたり外れたりすることがなくなる。
【００２８】
また、本考案の請求項５に記載の作り帯付き簡易帯は、請求項１乃至請求項４のいずれか１項に記載の作り帯付き簡易帯において、前記作り帯は、前記帯本体に装着した前記作り帯がずれないようにするための補助紐をさらに備え、前記補助紐の中央位置には前記作り帯が一体的に取り付けられており、前記帯本体の前記差し込みポケットに前記作り帯の前記差し込み部を装着した後に、前記着用者の胸回りに沿って前記補助紐を巻いて前記着用者に取り付けることで、前記作り帯を前記帯本体に更にしっかりと固定することを特徴としている。
【００２９】
請求項５に係る作り帯付き簡易帯がこのような構成を有することで、請求項４に係る作り帯付き簡易帯に比べ、帯本体に作り帯をさらにしっかりと固定することができる。
【００３０】
また、本考案の請求項６に記載の作り帯付き簡易帯は、請求項１乃至請求項５のいずれか１項に記載の作り帯付き簡易帯において、前記帯本体に形成されている前記係止手段は着脱可能な前記帯本体同士の付着手段からなり、当該付着手段は少なくとも前記重ね合わせの部分の領域に亘り形成されており、胴回りに合わせて貼着位置を調整して前記帯本体を前記胴部に装着可能となっていることを特徴としている。
【００３１】
請求項６に係る作り帯付き簡易帯がこのような構成を有することで、着用者の胴回りに合わせて、着用者に不快感を与えることなく帯本体を胴部に簡単に装着することができる。
【００３２】
また、本考案の請求項７に記載の作り帯付き簡易帯は、請求項１乃至請求項６のいずれか１項に記載の作り帯付き簡易帯において、前記帯本体は、長手方向の一定領域において幅方向の全体に亘り、変形可能な弾性力を有する素材で形成されていることを特徴としている。
【００３３】
請求項７に係る作り帯付き簡易帯がこのような構成を有することで、着用者が食事前に作り帯付き簡易帯を着用した場合であっても、食事後に帯の締まり具合がちょうど良くなるように伸び、装着者に不快感を与えることがない。
【００３４】
また、本考案の請求項８に記載の作り帯付き簡易帯は、請求項１乃至請求項７のいずれか１項に記載の作り帯付き簡易帯において、前記作り帯の帯結びには、少なくとも、各種の花柄を模して帯結びが形成されている形態、各種の水中の生物を模して帯結びが形成されている形態、各種の動物を模して帯結びが形成されている形態のいずれか１つによって形成されていることを特徴としている。
【００３５】
請求項８に係る作り帯付き簡易帯がこのような構成を有することで、様々な種類からなる帯結びの形態により形成されている作り帯をその日の気分や好みに応じて自在に差し替えることができ、着物や浴衣などをそれに応じて楽しんで着こなすことができる。
【考案の効果】
【００３６】
本考案によれば、簡単に着付けを行うことができ、窮屈な思いをさせることなく着崩れを起こし難く動き易いファッション性に優れた着物用の作り帯付き簡易帯を提供することができる。
【図面の簡単な説明】
【００３７】
【図１】本考案の一実施形態に係る作り帯付き簡易帯の全体構成を示す斜視図である。
【図２】図１に示した作り帯付き簡易帯の帯本体の構成を説明する斜視図である。
【図３】本考案の一実施形態に係る作り帯付き簡易帯を用いて着物を着付けた状態を示す正面図（図３（ａ））及び、本考案の一実施形態に係る作り帯付き簡易帯を用いて着物を着付けた状態を示す背面図（図３（ｂ））である。
【図４】本考案の変形例に係る作り帯付き簡易帯を用いて着物を着付けた状態を示す背面図である。
【図５】従来の実施形態に係る帯本体の構成を示す正面図である。
【考案を実施するための形態】
【００３８】
以下、本考案の一実施形態に係る作り帯付き簡易帯について図面に基づいて説明する。図１は、本考案の一実施形態に係る作り帯付き簡易帯の全体構成を示す斜視図である。また、図２は、図１に示した作り帯付き簡易帯の帯本体の構成を説明する斜視図である。
【００３９】
本実施形態に係る作り帯付き簡易帯１は、予め所定の形状に帯結び１１が形成されている作り帯１０と、胴部の周りに巻いて着物などの衣服の前開きを防止する帯本体２０を備える。そして、図１に示すように、作り帯１０は、帯結び１１の中央位置から離れるにしたがって互いの間隔が広がるようにハの字状に取り付けられている突起状の２個の係合突起１２を有し、帯本体２０には、着用者の胴部後方（腰部）に対応する位置には各々の係合突起１２を挿入することができるように、当該係合突起１２のハの字状の広がり度合に対応した図１に示すような等脚台形をなした差し込みポケット２２が備えられている。つまり、ハの字状をなす係合突起１２のそれぞれが等脚台形をなす差し込みポケット２２のそれぞれの側辺と対応している。
【００４０】
なお、係合突起１２は変形可能なように、例えばソフト芯で巻いたワイヤ、硬質ゴムやバネ材などの弾性体からなる棒状の形態を有しており、２個の係合突起１２の間隔が狭まるように指で押すとハの字状の広がり度合を小さくすることができるとともに、指を離すと元のハの字状の広がり度合いに復帰することができるようになっている。
【００４１】
なお、作り帯１０は、図１に示すようなバラの形態の花飾りに限定されず、バラ以外のひまわりや朝顔、チューリップなどの花の形態であっても良い。
【００４２】
また、帯本体２０には張りを持たせるため、着用者の胴部前方に対応する位置に、所定の硬さを有する略矩形状の帯板２３が一体的に取り付けられている。このように構成することにより、従来のように帯板が別体として構成されていたために、帯板がずれないように手で押さえながら帯本体を胴部に巻き付ける煩わしさがなくなり、着付けのし易さが格段に向上する。そして、帯本体２０が緩んで衣服がはだけそうになったりしないように、帯本体２０の端部同士の重ね合わせの部分に対応する領域に、例えばマジックテープ（登録商標）２１が貼り付けられている。なお、マジックテープ（登録商標）２１の代わりに他の係止手段、例えば鉤ホックなども利用可能なことも言うまでもない。これによって、胴部を巻いた状態で帯本体２０がしっかりと装着される。本考案の一実施形態に係る作り帯付き簡易帯１がこのように構成されているため、後述するように簡単にかつ短時間で着物の着付けを行うことができる。
【００４３】
次に、本考案の一実施形態に係る作り帯付き簡易帯１を用いた着付けの手順（ステップ）について詳細に説明する。なお、以下の説明において、着付けの第１ステップとは着用者が作り帯付き簡易帯１を用いて着付けをする際の最初の動作をいい、着付けの第２ステップとは着用者が作り帯付き簡易帯１を用いて着付けをする際の第１ステップに続く動作をいい、着付けの第３ステップとは着用者が作り帯付き簡易帯１を用いて着付けをする際の最後の動作をいう。
【００４４】
図１に示すように、まず、後述する差し込みポケット２２が胴部後方（背中）に位置するように帯本体２０を胴部に巻き付け（着付けの第１ステップ）、帯本体２０の重ね合わせの部分をマジックテープ（登録商標）２１（図２参照）同士で貼り合わせることにより、胴部に帯本体２０を装着する（着付けの第２ステップ）。なお、帯本体２０は、長手方向の一定領域において幅方向の全体に亘り、変形可能な弾性力を有するゴム状の素材２４（いわゆる帯本体の装着時に着用者の両脇腹に位置するようなシャーリング）により形成されているため、着用者の胴回りに応じて着用者に圧迫感を与えることなく装着することができる。また、マジックテープ（登録商標）２１は帯本体２０端部の長手方向の所定領域に亘り貼り付けられているため、複数人の着用者がそれぞれ使用する場合、各人の胴回りが違っても帯本体２０を共用することができる。
【００４５】
次いで、作り帯１０の２個の係合突起１２の間隔が狭まるように例えば片手の指先で挟んで係合突起１２のハの字状の広がり度合を小さくしながら、帯本体２０に形成されている差し込みポケット２２に挿入する（着付けの第３ステップ）。係合突起１２は例えばソフト芯で巻いたワイヤ、変形可能な硬質ゴムやバネ材などの弾性体で形成されているため、差し込みポケット２２に挿入されると、ワイヤの摩擦力や弾性体の弾性力を介して係合突起１２が図１に示すような等脚台形をなす差し込みポケット２２のそれぞれの側辺（差し込みポケット内側の側縁）にしっかりと留まり、作り帯１０の係合突起１２が差し込みポケット２２から一部はみ出したり全体が抜けたりしないようになっている。なお、差し込みポケット２２を有しているおかげで、このポケット２２がクッションとなり従来のように差し込み部が背中に直接当たることにより背中に違和感や不快感を与えることはない。なお、本考案は、この特別な構成により、以上の着付けの第１ステップ乃至第３ステップを約１分という極めて短い時間で完了可能であると考えている。
【００４６】
本考案の一実施形態に係る作り帯付き簡易帯１によれば、上述のように、第１ステップ乃至第３ステップという３つの動作で着付けを完了することができるため、従来のような着付けの難しさもなく、簡単に、かつ短時間で着付けを行うことができる。
【００４７】
なお、帯本体２０の差し込みポケット２２に作り帯１０の係合突起１２を予め差し込んだ後に、図３（ｂ）、図４に示すように、作り帯１０が背中に当接されるように帯本体２０を胴部に巻き付けて装着しても良い。このようにして着付けを行えば、人手を煩わすことなく一人で簡単に着物の着付けを行うことができる。これによって、子供が浴衣を着て夏祭り（縁日）、花火大会、七夕などに行くときに親の手を借りなくても浴衣を着て作り帯付き簡易帯を着用することができる。また、多数の作り帯を持参して行っても、その場の状況に応じて自らの手で最も好ましい作り帯に素早くかつ簡単に付け替えることができる。
【００４８】
また、図３（ａ）に示すように、作り帯２０が取り付けられている補助紐１３を胸回りに沿って巻き固定しても良い。この場合の補助紐１３は例えば伸び縮み可能なマジックベルトなどでできているのが好ましい。これにより、帯本体２０から作り帯１０をさらにしっかりと固定することができ、多少、激しい動作を行ったとしても、帯本体２０から作り帯１０がずれたり外れたりすることはない。
【００４９】
さらに、補助紐１３の一方端に例えば美しいお花の形態を有する飾り１４を設けて胴部前方に位置するように、補助紐１３を胸回りに巻き付けて粘着テープやフックなどで固定しても良い（図３（ａ）参照）。これにより本考案に係る作り帯付き簡易帯のデザイン性が増し、着物のファッション的な価値を高めることができる。なお、補助紐１３の一方端に取り付ける飾り１４は花の形態に限らず、例えば、作り帯１０の帯結びの形態に合わせた飾りであっても良い。
【００５０】
このように、多様な形態の飾り１４を選択することができるため、一枚の着物であっても着物のデザインのバラエティに富んだものにする。即ち、本考案に係る作り帯付き簡易帯を様々な形態に適宜変更することで、その場に応じて着用者の気分転換を図ることもできる。また、着用者の付近にいる者にもある種の驚きや、面白さ、感動を与えてその場の雰囲気を和ませることができる。
【００５１】
また、上述に説明において、作り帯１０は、大人用の着物としてバラなどの花の形態（図３（ｂ）参照）を採用した場合について説明したが、これに限定されない。つまり、図４に示すように、子供用の着物として子供が喜びそうな例えばカニの形態であっても良いし、カニ以外であってもカメやイカ、エビ、魚など水中に生息する水中の生物の形態であっても良い。さらに、これら花や水中の生物以外であっても、犬や猫、うさぎ、猿など各種動物の形態や、その年の干支に合わせた形態を採用しても良いし、着用者の似顔絵であっても良い。このように多様な形態からなる色々な種類の作り帯を用意しておけば、作り帯を自由に差し替えることが可能となるので、例えば、盆踊り大会や花火大会の際に、大会の進行状況に応じて、帯結びの形態を変えてその場の雰囲気を盛り上げることもできる。そして、このように多様な形態からなる作り帯を採用することにより、選ぶ楽しみや自分でデザインする楽しみが増え、着物を普段着として着用したいという意識を高めることができる。
【００５２】
さらに、近年の電子通信回線の急速な普及および進展に基づき静止画や動画をインターネット上に掲載して誰もが自由に見ることができるようになっているので、本考案に係る作り帯付き簡易帯およびこの作り帯付き簡易帯を用いて着付けをした着物を静止画や動画として取り込み全世界に発信することによって、日本の着物の良さを全世界に周知させ、日本が誇るべき美しい伝統文化を絶やすことなく日本だけではなく海外の人達に対しても日本の伝統文化である着物を広くアピールすることができる。また、着物の美しさや本考案の素晴らしさを海外に広く発信することで、世界の人々の新たな美的感覚を呼び覚まし、これらの人々の気持ちを和ませることができるようになる。
【００５３】
なお、例えば上述した第１乃至第３の手順を動画として撮影したり、様々な作り帯本体に順々に付け替える風景を撮影したりすることにより、本考案のような極めて簡易かつユニークなデザインからなる作り帯付き簡易帯による着物の着付けのし易さを全世界にアピールしても良い。
【００５４】
以上説明した実施形態で紹介した各構成要素の形状や寸法、数値、材質はあくまで例示的なもので、本考案の範囲を逸脱しない限り、様々な形状や寸法、数値、材質を適宜選択できることは言うまでもない。すなわち、着物に限定されず浴衣に適用することも可能である。
【００５５】
具体的には、考案者は、上述した帯本体の試作品をいくつか作成し、大人用は長さ１００ｃｍで幅１５ｃｍ、子供用は長さ８０ｃｍで幅１３ｃｍが好ましいことを発見したが、必ずしもこの寸法に限らず、着用者の体格や着用者の人種に合わせて適宜変更すれば良いことは言うまでもない。
【００５６】
なお、上述の実施形態と異なり、帯本体が２個の差し込みポケットを備え、２本の棒状の変形可能な弾性体からなる係合突起であって帯結びの中央位置から離れるにしたがって互いの間隔が広がるようにハの字状に取り付けられた係合突起よりも２個の差し込みポケットハの字状の広がり度合が小さくなるように形成されていても良い。
【００５７】
このような構成をとることで、２個の係合突起の間隔を狭めハの字状の広がり度合を小さくすることにより、２個の差し込みポケットに各々の係合突起をその弾性力を利用しながらしっかりと装着することができる。
【符号の説明】
【００５８】
１    作り帯付き簡易帯
１０    作り帯
１１    帯結び
１２    差し込み部（係合突起）
１３    補助紐
１４    飾り
２０    帯本体
２１    係止手段（マジックテープ（登録商標））
２２    差し込みポケット
２３    帯板
２４    弾性力を有する素材
５０    帯本体
５１    紐
【図１】
0003187712.tif 000003
【図２】
0003187712.tif 000004
【図３】
0003187712.tif 000005
【図４】
0003187712.tif 000006
【図５】
0003187712.tif 000007